(57)【要約】移動端末機を通してリアルタイム／非リアルタイムで番組を視聴することができる対話型マルチメディアサービスシステム及びその方法が開示されている。放送社サーバーは、移動端末機により生成されたマルチメディアコンテンツと放送中である放送コンテンツとを合成したマルチメディアコンテンツを送出し、上記合成されたマルチメディアコンテンツを移動端末機に伝送する。従って、移動端末機の使用者は、自身が参加する対話型放送コンテンツをリアルタイム／非リアルタイムで視聴することができる。
2008505581.tif 000002
【特許請求の範囲】
【請求項１】
マルチメディアコンテンツを生成し、上記マルチメディアコンテンツをリアルタイムでエンコーディングする移動端末機；及び
上記移動端末機と所定のプロトコルを通して呼（Call）を設定した後に、上記マルチメディアコンテンツを受信してデコーディングし、上記デコーディングされたマルチメディアコンテンツを放送信号にフォーマット変換して、現在放送中である番組に合成した後に、上記合成された番組を送出（broadcasting）する放送社サーバー；を備えることを特徴とする対話型マルチメディアサービスシステム。
【請求項２】
上記プロトコルは、Ｈ．３２３基盤のプロトコルであることを特徴とする請求項１に記載の対話型マルチメディアサービスシステム。
【請求項３】
上記プロトコルは、ＲＴＰ（Real-time Transport Protocol）／ＲＴＣＰ（RTP Control Protocol）／ＲＴＳＰ（Real-Time Streaming Protocol）基盤のプロトコルであることを特徴とする請求項１に記載の対話型マルチメディアサービスシステム。
【請求項４】
上記プロトコルは、ＨＴＴＰ（hypertext transfer protocol）基盤のプロトコルであることを特徴とする請求項１に記載の対話型マルチメディアサービスシステム。
【請求項５】
上記移動端末機は、上記マルチメディアコンテンツのリアルタイムエンコーディングを行うコーデックを含むことを特徴とする請求項１〜４のうちいずれか１項に記載の対話型マルチメディアサービスシステム。
【請求項６】
マルチメディアコンテンツを生成して上記マルチメディアコンテンツをリアルタイムでエンコーディングする移動端末機；
上記エンコーディングされたマルチメディアコンテンツを所定のプロトコルに従って上記移動端末機から受信し、番組と合成されたマルチメディアコンテンツを上記移動端末機に伝送するサービス提供サーバー；及び
上記マルチメディアコンテンツを受信してデコーディングした後に、放送信号にフォーマット変換して、上記フォーマット変換されたマルチメディアコンテンツを現在放送中である番組に合成した後に、上記合成された番組を送出（broadcasting）し、これと同時にリアルタイムで上記合成された番組を上記プロトコルに従って再エンコーディングし、上記サービス提供サーバーに伝送する放送社サーバー；を備えることを特徴とする対話型マルチメディアサービスシステム。
【請求項７】
（１）移動端末機がマルチメディアコンテンツを生成し、サービス提供サーバーを通して放送社サーバーに伝送する段階；
（２）上記放送社サーバーが上記マルチメディアコンテンツの入力を受けて放送信号に適合するフォーマットに変換し、現在放送中である番組と合成して、サービス媒体で放送した後に、上記合成された番組をサービス提供サーバーに伝送する段階；及び
（３）上記サービス提供サーバーが上記合成された番組を移動端末機に適合するマルチメディアコンテンツにフォーマット変換した後に、上記移動端末機に上記フォーマット変換されたマルチメディアコンテンツを伝送する段階；を含むことを特徴とする対話型マルチメディアサービス方法。
【請求項８】
上記（１）の段階は、
（１）上記移動端末機がマルチメディアコンテンツを生成した後に、放送社サーバーと呼を設定する段階；及び
（２）上記呼が設定されると、上記移動端末機が上記マルチメディアコンテンツをサービス提供サーバーを通して放送社サーバーに伝送する段階；を更に含むことを特徴とする請求項７に記載の対話型マルチメディアサービス方法。
【請求項９】
放送社サーバーで提供する対話型マルチメディアサービス方法において、
（ａ）移動端末機から所定のプロトコル基盤のマルチメディアコンテンツを受信してデコーディングする段階；
（ｂ）上記マルチメディアコンテンツと現在放送中である番組とを合成する段階；及び
（ｃ）上記合成された番組を送出（broadcasting）する段階；を含むことを特徴とする対話型マルチメディアサービス方法。
【請求項１０】
（ｄ）上記（ｂ）段階の合成の後に、上記合成された番組をエンコーディングして上記プロトコル基盤のマルチメディアコンテンツに変換する段階；及び
（ｅ）上記（ｄ）段階で変換されたマルチメディアコンテンツを上記移動端末機に伝送する段階；を更に含むことを特徴とする請求項９に記載の対話型マルチメディアサービス方法。
【請求項１１】
上記プロトコルは、 
Ｈ．３２３基盤のプロトコルであることを特徴とする請求項９又は１０に記載の対話型マルチメディアサービスシステム方法。
【請求項１２】
上記プロトコルは、
ＲＴＰ（Real-time Transport Protocol）／ＲＴＣＰ（RTP Control Protocol）／ＲＴＳＰ（Real-Time Streaming Protocol）基盤のプロトコルであることを特徴とする請求項９又は１０に記載の対話型マルチメディアサービス方法。
【請求項１３】
上記プロトコルは、
ＨＴＴＰ（hypertext transfer protocol）基盤のプロトコルであることを特徴とする請求項９又は１０に記載の対話型マルチメディアサービス方法。
【請求項１４】
移動端末機で行われる対話型マルチメディアサービス方法において、
（１）マルチメディアコンテンツを生成してエンコーディングする段階；
（２）放送社サーバーと無線網を通して呼を設定する段階；
（３）上記エンコーディングされたマルチメディアコンテンツを無線網を通して上記放送社サーバーに伝送する段階；及び
（４）上記放送社サーバーから番組と合成されたマルチメディアコンテンツをリアルタイムで受信する段階；を含むことを特徴とする対話型マルチメディアサービス方法。
【発明の詳細な説明】
【技術分野】
【０００１】
本発明は、マルチメディアサービスシステムに関し、より詳しくは、対話型（interactive）マルチメディアサービスシステム及びその方法に関する。
【背景技術】
【０００２】
従来のＴＶやラジオ番組において視聴者との対話型サービスを具現する方法は、官製はがきや有線電話を用いた古典的なものであった。上記有線電話の場合、自動応答システム、ファクシミリなどのような技術の登場によって若干発展的な形態の意見交換が具現され、パソコン通信、インターネット、移動端末機が登場して更に自由な視聴者との意見交換が具現された。
【０００３】
また、デジタル放送の登場によって、使用者のセットトップボックスに公衆電話網、非対称デジタル加入者回線を連動して、使用者との対話型サービスを具現しようと試みたが、セットトップボックスで支援するリターンチャンネルの伝送速度の制限のため円滑に実施することができなかった。また、現在放送中である番組を自身のセットトップボックスで直接確認することもできなかった。
【０００４】
一方では、移動端末機のためのサービスが多様化され、文字、映像及び音声から構成されたマルチメディアコンテンツが使用者に移動端末機を通して提供された。これは、無線インターネットを支援する移動端末機等のＷＡＰ（Wireless Application Protocol）やＭＥ（Mobile Explorer）ブラウザーを基盤とし、上述のコンテンツを送信したり受信することができた。
【０００５】
かかる技術の発展を通して、最近では、対話型（interactive）サービスが要求される媒体（ＴＶ、ＰＣ等）に提供されているマルチメディアコンテンツ（広告情報、電子商取引関連情報など）を移動端末機の使用者に伝送した後に、上記コンテンツに対する使用者の反応及び要求事項（アンケート調査参加、広告参加、商品購買、割引クーポン要求など）を再び移動端末機を通して事業者のシステムにリアルタイムで伝達するサービスが登場した。 
【０００６】
即ち、上記サービス方法は、マルチメディアコンテンツと使用者の移動端末機に送信される情報（例えば、テキスト情報）とを時間的に同期させた後に、ＴＶと移動端末機とにプッシュし、これに対する使用者の要求事項を移動端末機を通して事業者システムに伝達することによって、使用者がＴＶなどのようなメディア放送にリアルタイムで参加することができる。
【０００７】
しかし、上述のようなサービス方法は、非常に制約的な対話型サービスしか提供することができない。即ち、現在進行中である番組において、移動端末機の使用者がリアルタイムで参加するには、その番組の進行者と音声通話するかテキストメッセージを用いるしかないので、非常に制約的であるという問題点があった。
【発明の開示】
【発明が解決しようとする課題】
【０００８】
本発明は、上記した問題点を解決するために案出されたもので、本発明の目的は、移動端末機で生成したマルチメディアをリアルタイム／非リアルタイムでアップロードさせることができる対話型マルチメディアサービスシステム及びその方法を提供することにある。
【０００９】
また、本発明の他の目的は、移動端末機の使用者が映像情報の交換によって、リアルタイムで番組に参加し、この参加中である番組を移動端末機を通してリアルタイム／非リアルタイムで視聴できる対話型マルチメディアサービスシステム及びその方法を提供することにある。
【課題を解決するための手段】
【００１０】
上記の目的を達成するための本発明の第１の観点による対話型マルチメディアサービスシステムは、マルチメディアコンテンツを生成して上記マルチメディアコンテンツをリアルタイムでエンコーディングする移動端末機；及び、上記移動端末機と所定のプロトコルを通して呼（Call）を設定した後に、上記マルチメディアコンテンツを受信してデコーディングし、上記デコーディングされたマルチメディアコンテンツを放送信号にフォーマット変換して、現在放送中である番組に合成した後に、上記合成された番組を送出（broadcasting）する放送社サーバー；を備えることを特徴とする。
【００１１】
また、本発明の第２の観点による対話型マルチメディアサービスシステムは、マルチメディアコンテンツを生成し、上記マルチメディアコンテンツをリアルタイムでエンコーディングする移動端末機；上記エンコーディングされたマルチメディアコンテンツを所定のプロトコルに従って上記移動端末機から受信し、番組と合成されたマルチメディアコンテンツを上記移動端末機に伝送するサービス提供サーバー；及び、上記マルチメディアコンテンツを受信してデコーディングした後に、放送信号にフォーマット変換して、上記フォーマット変換されたマルチメディアコンテンツを現在放送中である番組に合成した後に、上記合成された番組を送出（broadcasting）しながら、これと同時にリアルタイムで上記合成された番組を上記プロトコルに従って再エンコーディングし、上記サービス提供サーバーに伝送する放送社サーバー；を備えることを特徴とする。
【００１２】
一方、本発明の第１の観点による対話型マルチメディアサービス方法は、（１）移動端末機がマルチメディアコンテンツを生成し、サービス提供サーバーを通して放送社サーバーに伝送する段階；（２）上記放送社サーバーが上記マルチメディアコンテンツの入力を受けて放送信号に適合するフォーマットに変換し、現在放送中である番組と合成して、サービス媒体で放送した後に、上記合成された番組をサービス提供サーバーに伝送する段階；及び、（３）上記サービス提供サーバーが上記合成された番組を移動端末機に適合するマルチメディアコンテンツにフォーマット変換した後に、上記移動端末機に上記フォーマット変換されたマルチメディアコンテンツを伝送する段階；を含むことを特徴とする。
【００１３】
望ましくは、上記（１）の段階は、（１）上記移動端末機がマルチメディアコンテンツを生成した後に放送社サーバーと呼を設定する段階と、（２）上記呼が設定されると、上記移動端末機が上記マルチメディアコンテンツをサービス提供サーバーを通して放送社サーバーに伝送する段階とを更に含むことを特徴とする。
【００１４】
また、本発明の第２の観点による、放送社サーバーで提供する対話型マルチメディアサービス方法は、（ａ）移動端末機から所定のプロトコル基盤のマルチメディアコンテンツを受信してデコーディングする段階；（ｂ）上記マルチメディアコンテンツと現在放送中である番組とを合成する段階；及び、（ｃ）上記合成された番組を送出（broadcasting）する段階；を含むことを特徴とする。
【００１５】
望ましくは、（ｄ）上記（ｂ）段階の合成の後に、上記合成された番組をエンコーディングして上記プロトコル基盤のマルチメディアコンテンツに変換する段階；及び、（ｅ）上記（ｄ）段階で変換されたマルチメディアコンテンツを上記移動端末機に伝送する段階；を更に含むことを特徴とする。
【００１６】
また、本発明の第３の観点による、移動端末機で行われる対話型マルチメディアサービス方法は、（１）マルチメディアコンテンツを生成してエンコーディングする段階；（２）放送社サーバーと無線網を通して呼を設定する段階；（３）上記エンコーディングされたマルチメディアコンテンツを無線網を通して上記放送社サーバーに伝送する段階；及び、（４）上記放送社サーバーから番組と合成されたマルチメディアコンテンツをリアルタイムで受信する段階；を含むことを特徴とする。
【００１７】
以上、説明した通り、本発明によると、移動端末機で生成されるマルチメディアコンテンツをリアルタイムでアップロードさせる効果がある。
【００１８】
また、本発明によると、移動端末機でリアルタイムに生成されるマルチメディアや映像会議の情報を伝送することによって、ＴＶ番組の進行者とインタラクティブに情報を交換できる効果がある。
【００１９】
また、本発明によると、移動端末機の使用者は、自分が送信したマルチメディアコンテンツが含まれたＴＶ番組がサービス媒体で放送されるのと合わせて、上記移動端末機の使用者に上記ＴＶ放送のコンテンツがフィードバックされるので、実際に自分が参加する対話型ＴＶ放送のコンテンツをリアルタイムで受信することができる効果がある。
【発明を実施するための最良の形態】
【００２０】
以下、本発明の望ましい実施例について、添付図面を参照しながら詳しく説明する。
【００２１】
図１は、本発明による対話型マルチメディアサービスシステムを示す概略図である。
【００２２】
図１に示すように、多様なマルチメディアコンテンツを生成／加工する移動端末機１００；無線網及び後述する放送社サーバーと接続され、上記マルチメディアコンテンツを再加工した後にこれを上記無線網及び放送社サーバーに送／受信するサービス提供サーバー２００；上記サービス提供サーバー２００と接続され、上記マルチメディアコンテンツを放送信号にフォーマット変換した後に番組に合成して、地上波、ケーブル、インターネット、衛星などのような伝送手段４００を通してサービス媒体（例えば、ＴＶ）及び上記サービス提供サーバー２００に伝送する放送社サーバー３００；を含む。
【００２３】
移動端末機１００は、多様なマルチメディアコンテンツを生成して、所定のプロトコル（例えば、ＲＴＰ（Real-Time Transport Protocol）／ＲＴＣＰ（RTP Control Protocol）／ＲＴＳＰ（Real-time Streaming Protocol））を支援するために映像や音声／オーディオ情報をリアルタイム／非リアルタイムでエンコーディングするコーデック（図示せず）を内蔵する。 
【００２４】
また、移動端末機１００は、上記マルチメディアコンテンツを生成した後に無線網及びサービス提供サーバー２００を通して放送社サーバー３００に伝送し、上記放送社サーバー３００で上記マルチメディアコンテンツと合成された番組を上記サービス提供サーバー２００及び無線網を通して受信し、リアルタイム／非リアルタイムで画面にディスプレーする。
【００２５】
サービス提供サーバー２００は、上記移動端末機１００と連動する無線網を支援し、上記プロトコルのための各種クライアント（例えば、上記ＲＴＰ／ＲＴＣＰ／ＲＴＳＰプロトコルに該当するＲＴＰ／ＲＴＣＰ／ＲＴＳＰクライアント）を含む。また、番組を移動端末機用のマルチメディアコンテンツに適合するフォーマットに変換するためのコンテンツ変換機（図示せず）を含む。
【００２６】
放送社サーバー３００は、サービス提供サーバー２００から伝送された、エンコーディングされたマルチメディアコンテンツ信号を受信してデコーディングする。また、これを放送信号に適合するフォーマット（例えば、ＰＡＬ（phase alternation by line system）、ＮＴＳＣ（National Television System Committee）に変換して、現在放送中である番組に合成する。合成された番組は、地上波、ケーブル、インターネット、衛星などのようなサービス媒体（例えば、ＴＶ、ＣＡＴＶ、衛星ＤＭＢ（Digital Multimedia Broadcasting））で放送される。これと同時に、放送社サーバー３００は、上記合成された番組をサービス提供サーバー２００に伝送する。
【００２７】
以下、添付の図２を参照して、本発明の対話型マルチメディアサービス方法を説明する。
【００２８】
まず、移動端末機１００は、現在生成中であるマルチメディアコンテンツ（例えば、自分が現在撮影している映像）を伝送するためにサービス提供サーバー２００と呼を設定する（Ｓ２０１）。
【００２９】
呼が設定されると、上記マルチメディアコンテンツをサービス提供サーバー２００を通して放送社サーバー３００に伝送する（Ｓ２０２）。
【００３０】
放送社サーバー３００は、上記マルチメディアコンテンツの入力を受けて、放送信号に適合するフォーマットに変換した後に現在放送中である番組と合成する（Ｓ２０３）。
【００３１】
すると、放送社サーバー３００は、上記合成された番組を地上波、ケーブル、インターネット、衛星などのようなサービス媒体で放送する（Ｓ２０４）。これと同時に、放送社サーバー３００は、上記番組をサービス提供サーバー２００に伝送する。この時、上述の放送社サーバー３００の更に具体的な例としては、放送の送出が可能な放送センターを上げることができる。
【００３２】
サービス提供サーバー２００は、上記合成された番組を移動端末機１００に適合するマルチメディアコンテンツにフォーマット変換した後に、移動端末機１００に上記フォーマット変換されたコンテンツを伝送する（Ｓ２０５〜Ｓ２０６）。この時、上述のサービス提供サーバー２００の更に具体的な例としては、移動通信事業者サーバーを上げることができる。
【００３３】
これにより、移動端末機１００は、実際に自分が参加している放送コンテンツを受信し、選択によって画面にディスプレーすることになる。この時、上記合成された番組を移動端末機１００に適合するマルチメディアコンテンツにフォーマット変換するのは、放送社サーバー３００で行ってもよい。即ち、上記Ｈ．３２３クライアントを上記放送社サーバー３００に含めることができる。
【００３４】
このような概念を通して、上記システムを具現する具体的な実施例について、添付図面を参考により詳しく説明する。
【００３５】
１）第１実施例: ビデオコンファレンス（Video Conference）プロトコルを活用したリアルタイム対話型ＴＶサービス。
【００３６】
図３は、本発明の第１実施例による対話型マルチメディアサービスシステムを示す構成図である。
【００３７】
図３に示したように、ビデオコンファレンスプロトコルを支援するＨ．３２３クライアント搭載の移動端末機１２０と、上記移動端末機１２０と呼を設定して、無線網を通して伝送されるマルチメディアコンテンツを受信するゲートキーパー（Gate Keeper）２２０と、上記ゲートキーパー２２０と接続され、マルチメディアコンテンツを受信して放送信号に適合するフォーマットに変換するＨ．３２３クライアント３２０と、上記変換されたマルチメディアコンテンツと現在放送中である番組とを合成させる番組合成機３３０と、上記合成された番組を地上波、ケーブル、インターネット、衛星などのようなサービス媒体に送信する放送送信部４００とを備える。
【００３８】
移動端末機１２０は、Ｈ．３２３クライアント（図示せず）を含み、ビデオをリアルタイムでエンコーディングするＭＰＥＧ４又はＨ．２６ｘなどのようなビデオコーデック（図示せず）と、音声／オーディオをリアルタイムでエンコーディングするＧ．７２ｘ、ＡＭＲ（Audio Modem Riser）、ＱＣＥＬＰ（Qualcomm Code Excited Linear Prediction）、ＡＡＣ（Advanced Audio Coding）又はＡＡＣ＋などのようなオーディオコーデック（図示せず）とを含む。
【００３９】
上記ゲートキーパー２２０は、放送社サーバー３００又はサービス提供サーバー２００に位置することができるが、別途に存在して相互に連動するべき場合には、放送社側のゲートキーパーと移動通信事業者側のゲートキーパーとの間に、Ｈ．３２３クライアントを追加／連動させて相互に送受信するべきである。 
【００４０】
また、Ｈ．３２３クライアント３２０は、マルチメディアコンテンツを放送信号に適合するフォーマットに変換するばかりか、上記番組合成機３３０で合成された番組のフィードバックを受けて、移動端末機１２０のためのマルチメディアコンテンツに再変換する。
【００４１】
このように構成された第１実施例による対話型マルチメディアサービス方法を次に説明する。
【００４２】
まず、移動端末機１２０は、現在生成中であるマルチメディアコンテンツ（例えば、自分が現在撮影している映像）を伝送するためにゲートキーパー２２０と呼（Call）を設定する。
【００４３】
ゲートキーパー２２０は、放送社サーバー２００又はサービス提供サーバー３００に 位置することができるが、別途に存在して相互に連動するべき場合には、前述のように、放送社側のゲートキーパーと移動通信事業者側のゲートキーパーとの間に、Ｈ．３２３クライアント（図示せず）を連動させて相互に送受信させることができる。
【００４４】
呼が設定されると、移動端末機１２０は、ＭＰＥＧ４、Ｈ．２６ｘなどのようなビデオコーデックを通してビデオをリアルタイムでエンコーディングし、Ｇ．７２ｘ、ＡＭＲ、ＱＣＥＬＰ、ＡＡＣ、ＡＡＣ＋などのようなオーディオコーデックを通して音声／オーディオをリアルタイムでエンコーディングしてから、ＲＴＰ／ＲＴＣＰプロトコルを用いてゲートキーパー２２０に伝送する。
【００４５】
すると、Ｈ．３２３クライアント３２０は、リアルタイムでエンコーディングされたマルチメディアコンテンツを受信／デコーディングした後に、放送信号に適合するフォーマットに変換して番組合成機３３０に伝送し、上記番組合成機３３０は、現在放送中である番組と上記フォーマット変換されたマルチメディアコンテンツとを合成する。
【００４６】
その次に、放送送信部４００は、上記合成された番組を地上波、ケーブル、インターネット、衛星などを通してサービス媒体（例えば、ＴＶ、ＣＡＴＶ、衛星ＤＭＢ）で放送する。
【００４７】
これと同時に、Ｈ．３２３クライアント３２０は、上記合成された番組のフィードバックを受けて、ＭＰＥＧ４、Ｈ．２６ｘなどのようなビデオコーデック及びＧ．７２ｘ、ＡＭＲ、ＱＣＥＬＰ、ＡＡＣ、ＡＡＣ＋などのようなオーディオコーデックを通してビデオ／オーディオをリアルタイムでエンコーディングして、ゲートキーパー２２０を通して上記移動端末機１２０に伝送する。
【００４８】
これにより、上記移動端末機１２０は、実際に自分が参加している放送コンテンツを受信することになる。
【００４９】
従って、ＴＶ番組の進行者とスタジオ外部にいる移動端末機１２０の使用者との間にリアルタイムで映像会議が提供され、この時のＴＶ番組は、移動端末機１２０の使用者との映像会議の内容を含んだＴＶ放送コンテンツを送出する。また、移動端末機１２０の使用者は、映像会議を通して実際に自分が参加する対話型ＴＶ放送コンテンツをリアルタイムで受信することができる。
【００５０】
２）第２実施例：ＲＴＰ／ＲＴＣＰ／ＲＴＳＰプロトコルを活用したリアルタイム対話型ＴＶサービス。
【００５１】
図４は、本発明の第２実施例による対話型マルチメディアサービスシステムを示す構成図である。
【００５２】
図４に示したように、対話型マルチメディアサービスシステムは、ＲＴＰ／ＲＴＣＰ／ＲＴＳＰプロトコルを支援する、リアルタイム（Real Time）コーデックモジュール搭載の移動端末機１４０と、上記移動端末機１４０と呼を設定して、無線網を通して伝送されるマルチメディアコンテンツを受信するＲＣＳ（Real Time Codec System）ゲートウェイ２４０と、上記ＲＣＳゲートウェイ２４０と接続され、上記マルチメディアコンテンツを受信して放送信号に適合するフォーマットに変換するＲＣＳクライアント３４０と、上記変換されたマルチメディアコンテンツと現在放送中である番組とを合成させる番組合成機３５０と、上記合成された番組を地上波、ケーブル、インターネット、衛星等を通してサービス媒体に送信する放送送信部４００とを備える。
【００５３】
ＲＴＰ／ＲＴＣＰ／ＲＴＳＰプロトコルを支援する、リアルタイム（Real Time）コーデックモジュール搭載の移動端末機１４０は、ビデオをリアルタイムでエンコーディングするＭＰＥＧ４、Ｈ．２６ｘなどのようなビデオコーデック及び音声／オーディオをリアルタイムでエンコーディングするＧ．７２ｘ、ＡＭＲ、ＱＣＥＬＰ、ＡＡＣ、ＡＡＣ＋などのようなオーディオコーデックを備える。
【００５４】
上記ＲＣＳゲートウェイ２４０は、放送社サーバー３００又はサービス提供サーバー２００に位置することができるが、別途に存在して相互に連動するべき場合には、放送社側のＲＣＳゲートウェイと移動通信事業者側のＲＣＳゲートウェイとの間にＲＴＰ／ＲＴＣＰ／ＲＴＳＰクライアント（図示せず）を連動させて相互に送受信するべきである。
【００５５】
また、ＲＣＳクライアント３４０は、マルチメディアコンテンツを放送信号に適合するフォーマットに変換するばかりか、上記番組合成機３３０で合成された番組のフィードバックを受けて、移動端末機１４０のためのマルチメディアコンテンツに再変換する。
【００５６】
このように構成された第２実施例による対話型マルチメディアサービス方法を説明する。
【００５７】
まず、ＲＴＰ／ＲＴＣＰ／ＲＴＳＰプロトコルを支援する、リアルタイム（Real Time）コーデックモジュール搭載の移動端末機１４０は、現在生成中であるマルチメディアコンテンツ（例えば、自分が現在撮影している映像）を伝送するためにＲＣＳゲートウェイ２４０と呼を設定する。 
【００５８】
上記ＲＣＳゲートウェイ２４０は、放送社サーバー３００又はサービス提供サーバー２００に位置することができるが、別途に存在して相互に連動するべき場合には、放送社側と移動通信事業者側との間にＲＴＰ／ＲＴＣＰ／ＲＴＳＰクライアント（図示せず）を連動させて相互に送受信する。
【００５９】
呼が設定されると、上記移動端末機１４０は、ＭＰＥＧ４、Ｈ．２６ｘなどのようなビデオコーデックを通してビデオをリアルタイムでエンコーディングし、Ｇ．７２ｘ、ＡＭＲ、ＱＣＥＬＰ、ＡＡＣ、ＡＡＣ＋などのようなオーディオコーデックを通して音声／オーディオをリアルタイムでエンコーディングした後に、ＲＴＰ／ＲＴＣＰ／ＲＴＳＰプロトコルを用いてＲＣＳゲートウェイ２４０に伝送する。
【００６０】
すると、ＲＣＳクライアント３４０は、リアルタイムでエンコーディングされたマルチメディアコンテンツを受信／デコーディングして、放送信号に適合するフォーマットに変換して番組合成機３３０に伝送し、上記番組合成機３３０は、現在放送中の番組と合成する。 
【００６１】
その次に、放送送信部４００は、上記合成された番組を地上波、ケーブル、インターネット、衛星などのようなサービス媒体（例えば、ＴＶ、ＣＡＴＶ、衛星ＤＭＢ）で放送する。
【００６２】
これと同時に、ＲＣＳクライアント３４０は、上記合成された番組のフィードバックを受けて、ＭＰＥＧ４、Ｈ．２６ｘなどのようなビデオコーデック及びＧ．７２ｘ、ＡＭＲ、ＱＣＥＬＰ、ＡＡＣ、ＡＡＣ＋などのようなオーディオコーデックを通してビデオ／オーディオをリアルタイムでエンコーディングして、ＲＣＳゲートウェイ２４０を通して上記移動端末機１４０に伝送する。
【００６３】
これにより、上記移動端末機１４０は、実際に自分が参加している放送コンテンツを受信することになる。
【００６４】
従って、ＲＴＰ／ＲＴＣＰ／ＲＴＳＰプロトコルを支援する、リアルタイム（Real Time）コーデックモジュール搭載の移動端末機１４０の使用者は、移動端末機１４０でリアルタイム撮影されるマルチメディアを伝送することによって、ＴＶ番組の進行者とインタラクティブ（interactive）に情報を交換できる。この時のＴＶ番組は、移動端末機１４０の使用者が送信したマルチメディアコンテンツを含んだＴＶ放送コンテンツを送出する。また、移動端末機１４０の使用者は、実際に自分が参加する対話型ＴＶ放送コンテンツをリアルタイムで受信することができる。
【００６５】
３）第３実施例：ＨＴＴＰプロトコルを活用したリアルタイム／非リアルタイム対話型ＴＶサービス。
【００６６】
図５は、本発明の第３実施例による対話型マルチメディアサービスシステムを示す構成図である。
【００６７】
図５に示したように、対話型マルチメディアサービスシステムは、ＨＴＴＰ（hypertext transfer protocol）／ＭＩＭＥ（Multipurpose Internet Mail Extensions）又はＨＴＴＰ／ＭＭ１（Multimedia Message 1）等のようなマルチメディア送受信プロトコルを支援する、マルチメディアコーデックモジュール搭載の移動端末機１６０と、上記移動端末機から上記マルチメディアコンテンツの伝送を受け、これをアップロードするＭＭＳ（Multimedia Messaging Service）リレーサーバー又はＨＴＴＰ送受信支援アプリケーションサーバー２６０と、ＭＭ７プロトコルを通して放送装備のインターフェースを提供するＶＡ（Value Added）アプリケーションサーバー２８０と、上記マルチメディアコンテンツを受信して放送信号に適合するフォーマットに変換するクライアント３６０と、上記変換されたマルチメディアコンテンツと現在放送中の番組とを合成させる番組合成機３７０と、上記合成された番組を地上波、ケーブル、インターネット、衛星などを通してサービス媒体に送信する放送送信部４００とを備える。
【００６８】
ＨＴＴＰ（hypertext transfer protocol）／ＭＩＭＥ（Multipurpose Internet Mail Extensions）又はＨＴＴＰ／ＭＭ１（Multimedia Message 1）等のようなマルチメディア送受信プロトコルを支援する、マルチメディアコーデックモジュール搭載の移動端末機１６０は、ビデオをリアルタイムでエンコーディングするＭＰＥＧ４、Ｈ．２６ｘなどのようなビデオコーデック、及び音声／オーディオをリアルタイムでエンコーディングするＧ．７２ｘ、 ＡＭＲ、ＱＣＥＬＰ、 ＡＡＣ、 ＡＡＣ＋などのようなオーディオコーデックを備え、マルチメディアコンテンツをＭＰ４（ＭＰＥＧ−２ ＡＡＣ）フォーマットのファイルで保存する。
【００６９】
上記ＭＭＳリレーサーバー又はＨＴＴＰ送受信支援アプリケーションサーバー２６０とＶＡ（Value Added）アプリケーションサーバー２８０とは、放送社側又は移動通信事業者側に位置することができるが、別途に存在して相互に連動するべき場合には、ＨＴＴＰ／ＭＩＭＥ、ＨＴＴＰ／ＭＭ１又はＳＭＴＰプロトコルを基盤とする。
【００７０】
また、クライアント３６０は、マルチメディアコンテンツを放送信号に適合するフォーマットに変換するばかりか、上記番組合成機３３０で合成された番組のフィードバックを受けて、移動端末機１６０のためのマルチメディアコンテンツに再変換する。
【００７１】
このように構成された第３実施例による対話型マルチメディアサービス方法を次に説明する。
【００７２】
まず、ＨＴＴＰ（hypertext transfer protocol）／ＭＩＭＥ（Multipurpose Internet Mail Extensions）又はＨＴＴＰ／ＭＭ１（Multimedia Message 1）などのようなマルチメディア送受信プロトコルを支援する、マルチメディアコーデックモジュール搭載の移動端末機１６０は、現在生成中であるマルチメディアコンテンツ（例えば、自分が現在撮影している映像）を、ＭＰＥＧ４、Ｈ．２６ｘなどのようなビデオコーデックを通してビデオをリアルタイムでエンコーディングし、Ｇ．７２ｘ、ＡＭＲ、ＱＣＥＬＰ、ＡＡＣ、ＡＡＣ＋などのようなコーデックを通して音声／オーディオをリアルタイムでエンコーディングして、ＭＰ４フォーマットのファイルで保存する。
【００７３】
そして、上記ＭＰ４フォーマットのファイルを、ＨＴＴＰ／ＭＩＭＥ又はＨＴＴＰ／ＭＭ１などのようなマルチメディア送受信プロトコルを通してＭＭＳリレーサーバー又はＨＴＴＰ送受信支援アプリケーションサーバー２６０にアップロードした後に、ＭＭ７プロトコルを通して放送装備インターフェース（図示せず）を提供するＶＡアプリケーションサーバー２８０に伝送する。
【００７４】
この時、上記ＭＭＳリレーサーバー又はＨＴＴＰ送受信支援アプリケーションサーバー２６０とＶＡアプリケーションサーバー２８０とは、放送社側又は移動通信事業者側に位置することができるが、別途に存在して相互に連動するべき場合には、ＨＴＴＰ／ＭＩＭＥ、ＨＴＴＰ／ＭＭ１又はＳＭＴＰプロトコルを基盤に連動させる。
【００７５】
以後、クライアント３６０は、リアルタイムでエンコーディングされたマルチメディアコンテンツを受信／デコーディングし、放送信号に適合するフォーマットに変換して、番組合成機３３０に伝送し、上記番組合成機３３０は、現在放送中である番組と合成する。 
【００７６】
その次に、放送送信部４００は、上記合成された番組を地上波、ケーブル、インターネット、衛星などを通してサービス媒体（例えば、ＴＶ、ＣＡＴＶ、衛星ＤＭＢ）で放送する。 
【００７７】
これと同時に、クライアント３６０は、上記合成された番組のフィードバックを受けて、ＭＰＥＧ４、Ｈ．２６ｘなどのようなビデオコーデック及びＧ．７２ｘ、ＡＭＲ、ＱＣＥＬＰ、ＡＡＣ、ＡＡＣ＋などのようなオーディオコーデックを通してビデオ／音声／オーディオをリアルタイムでエンコーディングして、移動通信事業者側のＭＭＳサーバー２６０を通してＨＴＴＰ／ＭＩＭＥ、ＨＴＴＰ／ＭＭ１プロトコルクライアント（図示せず）を支援する上記移動端末機１６０に伝送する。これにより、上記移動端末機１６０は、実際に自分が参加している放送コンテンツを受信することになる。
【００７８】
この時、上記移動端末機１６０の使用者は、所定のキーを通して実際に自分が参加している放送コンテンツを見たり、現在製作されているマルチメディアコンテンツを見たりすることができる。
【００７９】
従って、上記移動端末機１６０の使用者は、上記移動端末機１６０でリアルタイムで撮影されるマルチメディアを伝送することによって、ＴＶ番組の進行者とインタラクティブ（interactive）に情報を交換できる。
【００８０】
この時のＴＶ番組は、移動端末機１６０の使用者が送信したマルチメディアコンテンツを含んだＴＶ放送コンテンツであるため、上記移動端末機１６０の使用者は、実際に自分が参加する対話型ＴＶ放送コンテンツを非リアルタイムで受信することができる。
【００８１】
このように、本発明の属する技術分野の当業者は、本発明がその技術的思想や必須的特徴を変更せずに他の具体的な形態で実施できることを理解できるだろう。従って、以上で記述した実施例はあらゆる面で例示的なものであり、限定的なものではないと理解するべきである。
【図面の簡単な説明】
【００８２】
【図１】本発明による対話型マルチメディアサービスシステムを示す概略図である。
【図２】本発明による対話型マルチメディアサービス方法を示す順序図である。
【図３】本発明の第１実施例による対話型マルチメディアサービスシステムを示す構成図である。
【図４】本発明の第２実施例による対話型マルチメディアサービスシステムを示す構成図である。
【図５】本発明の第３実施例による対話型マルチメディアサービスシステムを示す構成図である。
【図１】
2008505581.tif 000003
【図２】
2008505581.tif 000004
【図３】
2008505581.tif 000005
【図４】
2008505581.tif 000006
【図５】
2008505581.tif 000007
【国際調査報告】
2008505581.tif 000008
2008505581.tif 000009